(57)【特許請求の範囲】
【請求項１】
通信ネットワークを介してユーザ端末とサーバ装置とが通信可能に接続され、前記ユーザ端末を使用するユーザが呼吸を訓練する呼吸訓練システムであって、以下の構成としたことを特徴とする呼吸訓練システム。
前記サーバ装置は、以下の構成を備える。
（１）以下の構成を備える呼吸訓練データを記憶している記憶手段
（ａ）音楽データ
前記音楽データは呼気パート及び吸気パートを有し、
前記呼気パートは、４拍を１小節として４小節の長さを有する４拍子の呼気楽曲を前記ユーザ端末において再生するためのパートであり、
前記吸気パートは、４拍を１小節として１小節の長さを有する４拍子の吸気楽曲を前記ユーザ端末において再生するためのパートであり、
前記呼気パートと前記吸気パートは、前記呼気楽曲と前記吸気楽曲とが時間的に交互に再生されるように構成される。
（ｂ）呼気又は吸気の時間を所定の大きさの形状で示すシンボルデータ
前記シンボルデータは呼気シンボルデータと吸気シンボルデータを有し、
前記呼気シンボルデータは、息を吐く音の長さである音価を四角形状で表した呼気シンボルを前記ユーザ端末の表示画面上に表示させるためのデータであり、
前記呼気シンボルデータは、前記呼気楽曲の４拍子のリズムに関連付けられて表示され、
前記吸気シンボルデータは、息を吸う部分を単一の色彩で表した吸気シンボルを前記ユーザ端末の表示画面上に表示させるためのデータであり、
前記吸気シンボルデータは、前記吸気楽曲の４拍子のリズムに関連付けられて表示される。
（ｃ）前記シンボルデータと、前記音楽データを構成する小節数及び拍数と、前記音楽データを構成するリズムに対応した前記シンボルデータが表示されるシンボルデータ表示経路とを表す譜面データ
前記譜面データは、複数の長尺のシンボルデータ表示経路で構成され、前記シンボルデータ表示経路の縦方向を楽曲全体の長さ部分とし、横方向を、楽曲を構成する複数の音で区切られた部分とし、
前記シンボルデータ表示経路の長手方向は１小節ごとに区切られ、各小節は前記呼気パート及び前記吸気パートを構成する４拍１小節に対応している。
（２）前記音楽データを再生するとともに、前記音楽データの再生に伴って、前記ユーザ端末の表示画面上に表示されている呼吸タイミング指示線を前記シンボルデータが通過するように前記譜面データの表示を制御する制御手段
【請求項２】
以下の構成としたことを特徴とする請求項１記載の呼吸訓練システム。
（１）以下の構成をさらに備える呼吸訓練データを記憶している記憶手段
（ｄ）前記譜面データは、吹奏型の鍵盤楽器の鍵盤を模した鍵盤画像データを備える。
（３）前記制御手段は、前記音楽データを再生するとともに、前記音楽データの再生に伴って、前記ユーザ端末の表示画面上で前記鍵盤画像データを前記シンボルデータ表示経路に表示されている前記シンボルデータに対して移動させ、又は、前記シンボルデータ表示経路に表示されている前記シンボルデータを前記鍵盤画像データに対して移動させて、前記表示画面上に表示されている呼吸タイミング指示線を前記シンボルデータが通過するように前記譜面データの表示を制御する。
【請求項３】
以下の構成としたことを特徴とする請求項２記載の呼吸訓練システム。
（４）前記制御手段は、前記シンボルデータが前記呼吸タイミング指示線を通過する際に、前記呼気シンボルデータに対応する前記鍵盤の鍵の位置を強調するように前記鍵盤画像データを制御する。
【請求項４】
音楽データと、呼気又は吸気の時間を所定の大きさの形状で示すシンボルデータと、前記音楽データを構成する小節数及び拍数と、前記音楽データを構成するリズムに対応した前記シンボルデータが表示されるシンボルデータ表示経路とを表す譜面データと、を備える呼吸訓練データを取得するデータ取得手段と、
前記音楽データは呼気パート及び吸気パートを有し、
前記呼気パートは、４拍を１小節として４小節の長さを有する４拍子の呼気楽曲を、呼吸を訓練するユーザが使用するユーザ端末において再生するためのパートであり、
前記吸気パートは、４拍を１小節として１小節の長さを有する４拍子の吸気楽曲を前記ユーザ端末において再生するためのパートであり、
前記呼気パートと前記吸気パートは、前記呼気楽曲と前記吸気楽曲とが時間的に交互に再生されるように構成され、
前記シンボルデータは呼気シンボルデータと吸気シンボルデータを有し、
前記呼気シンボルデータは、息を吐く音の長さである音価を四角形状で表した呼気シンボルを前記ユーザ端末の表示画面上に表示させるためのデータであり、
前記呼気シンボルデータは、前記呼気楽曲の４拍子のリズムに関連付けられて表示され、
前記吸気シンボルデータは、息を吸う部分を単一の色彩で表した吸気シンボルを前記ユーザ端末の表示画面上に表示させるためのデータであり、
前記吸気シンボルデータは、前記吸気楽曲の４拍子のリズムに関連付けられて表示され、
前記譜面データは、複数の長尺のシンボルデータ表示経路で構成され、前記シンボルデータ表示経路の縦方向を楽曲全体の長さ部分とし、横方向を、楽曲を構成する複数の音で区切られた部分とし、
前記シンボルデータの長手方向は１小節ごとに区切られ、各小節は前記呼
気パート及び前記吸気パートを構成する４拍１小節に対応し、
前記音楽データを再生する音楽データ再生手段と、
前記譜面データを表示する画像データ表示出力手段と、
前記音楽データの再生に伴って、表示画面上に表示されている呼吸タイミング指示線を前記シンボルデータが通過するように前記譜面データの表示を制御する制御手段
としてコンピュータを機能させる呼吸訓練プログラム。
【請求項５】
前記譜面データは、さらに吹奏型の鍵盤楽器の鍵盤を模した鍵盤画像データを備え、
前記音楽データの再生に伴って、表示画面上で前記鍵盤画像データを前記シンボルデータ表示経路に表示されている前記シンボルデータに対して移動させ、又は、前記シンボルデータ表示経路に表示されている前記シンボルデータを前記鍵盤画像データに対して移動させて、前記表示画面上に表示されている呼吸タイミング指示線を前記シンボルデータが通過するように前記譜面データの表示を制御する制御手段
としてコンピュータを機能させる請求項４記載の呼吸訓練プログラム。
【請求項６】
請求項４又は５記載の呼吸訓練プログラムが記録されているコンピュータ読み取り可能な記録媒体。
【発明の詳細な説明】
【技術分野】
【０００１】
本発明は、呼吸訓練システム、呼吸訓練プログラム及び記録媒体に関する。
【背景技術】
【０００２】
従来、呼吸の訓練に関する機器、システムは種々知られている。例えば特許文献１には、使用者が次の動作を開始するタイミングを容易に推測できるように報知を行う呼吸訓練器が提案されている。  
特許文献２には、利用者が容易に持ち運び可能であって、場所が限定されることなく、利用者に一定の呼吸リズムに従った呼吸を行わせる携帯式呼吸誘導装置が提案されている。
【先行技術文献】
【特許文献】
【０００３】
【特許文献１】特開２００７−１９０２７６号公報
【特許文献２】特開２０１３−１２８６５９号公報
【発明の概要】
【発明が解決しようとする課題】
【０００４】
テクノロジーの進化による生活の電化、自動化そしてＩＴ化は、我々の生活空間を格段に便利で自由な空間に変え、環境の変化は我々の生活から運動や労務を大幅に軽減している。しかし、これらの変化によって人間が自然に行っていた深い呼吸を浅い呼吸へと変えていることも事実である。浅い呼吸、すなわち呼吸の質の低下は心身のバランスの乱れ、鬱やストレス、不定愁訴原因、生活習慣病の蔓延の遠因ともいわれている。そこで、呼吸の質を高める呼吸訓練システムの提案が望まれている。
【０００５】
この発明は、利用者が時間、場所を問わずに呼吸の訓練を行うことができ、音楽の特性を利用して呼吸の質を高める呼吸訓練システム、呼吸訓練プログラム及び記録媒体を提供することを目的とする。
【課題を解決するための手段】
【０００６】
請求項１の発明は、
通信ネットワークを介してユーザ端末とサーバ装置とが通信可能に接続され、前記ユーザ端末を使用するユーザが呼吸を訓練する呼吸訓練システムであって、以下の構成としたことを特徴とする呼吸訓練システム。
前記サーバ装置は、以下の構成を備える。
（１）以下の構成を備える呼吸訓練データを記憶している記憶手段
（ａ）音楽データ
前記音楽データは呼気パート及び吸気パートを有し、
前記呼気パートは、４拍を１小節として４小節の長さを有する４拍子の呼気楽曲を前記ユーザ端末において再生するためのパートであり、
前記吸気パートは、４拍を１小節として１小節の長さを有する４拍子の吸気楽曲を前記ユーザ端末において再生するためのパートであり、
前記呼気パートと前記吸気パートは、前記呼気楽曲と前記吸気楽曲とが時間的に交互に再生されるように構成される。
（ｂ）呼気又は吸気の時間を所定の大きさの形状で示すシンボルデータ
前記シンボルデータは呼気シンボルデータと吸気シンボルデータを有し、
前記呼気シンボルデータは、息を吐く音の長さである音価を四角形状で表した呼気シンボルを前記ユーザ端末の表示画面上に表示させるためのデータであり、
前記呼気シンボルデータは、前記呼気楽曲の４拍子のリズムに関連付けられて表示され、
前記吸気シンボルデータは、息を吸う部分を単一の色彩で表した吸気シンボルを前記ユーザ端末の表示画面上に表示させるためのデータであり、
前記吸気シンボルデータは、前記吸気楽曲の４拍子のリズムに関連付けられて表示される。
（ｃ）前記シンボルデータと、前記音楽データを構成する小節数及び拍数と、前記音楽データを構成するリズムに対応した前記シンボルデータが表示されるシンボルデータ表示経路とを表す譜面データ
前記譜面データは、複数の長尺のシンボルデータ表示経路で構成され、前記シンボルデータ表示経路の縦方向を楽曲全体の長さ部分とし、横方向を、楽曲を構成する複数の音で区切られた部分とし、
前記シンボルデータ表示経路の長手方向は１小節ごとに区切られ、各小節は前記呼気パート及び前記吸気パートを構成する４拍１小節に対応している。
（２）前記音楽データを再生するとともに、前記音楽データの再生に伴って、前記ユーザ端末の表示画面上に表示されている呼吸タイミング指示線を前記シンボルデータが通過するように前記譜面データの表示を制御する制御手段
【発明の効果】
【０００７】
この発明によれば、利用者が時間、場所を問わずに呼吸の訓練を行うことができ、音楽の特性を利用して呼吸の質を高める呼吸訓練システム、呼吸訓練プログラム及び記録媒体を提供することができる。
【図面の簡単な説明】
【０００８】
【図１】本発明の構成の一例を表す図である。
【図２】本発明が備える呼吸訓練データの一例を表す図である。
【図３】再生される音楽データの前奏パートが表示される一例を表す図である。
【図４】図３に続き、再生される音楽データの一の呼気パートが表示される一例を表す図である。
【図５】図４に続き、一の呼気パートを構成する呼気シンボルデータが呼吸タイミング指示線を通過する状態の一例を表す図である。
【図６】図５に続き、一の吸気パートを構成する吸気シンボルデータが呼吸タイミング指示線を通過する状態の一例を表す図である。
【図７】図６に続き、他の呼気パートを構成する呼気シンボルデータが呼吸タイミング指示線を通過する状態の一例を表す図である。
【発明を実施するための形態】
【０００９】
以下、添付図面を参照して、本発明の実施形態の一例を説明する。
【００１０】
本実施形態の呼吸訓練システム１は、図１に示すように、インターネット通信網、無線通信規格で定められている無線通信網等の通信ネットワーク４を介してユーザ端末２とサーバ装置３とが通信可能に接続されて構成されるシステムである。
【００１１】
ユーザ端末２は、本実施形態の呼吸訓練システム１を利用して呼吸の訓練を行う者（以下、「ユーザ」という）が使用するパーソナルコンピュータ、タブレット端末、スマートフォン、等の情報通信端末である。図面では省略しているが、本実施形態の呼吸訓練システム１を利用して呼吸の訓練を行う複数のユーザそれぞれにユーザ端末２が使用されるか、あるいは、複数の前記ユーザに対して１乃至複数のユーザ端末２が使用される。また、ユーザ端末２は、前記情報通信端末に限らず、従来公知のオーディオプレーヤー等の音楽再生装置を含めることができる。
【００１２】
図面では省略しているが、ユーザ端末２は、ＣＰＵ等により構成され各種データの処理、演算を行う演算処理部と、メモリ等の各種データを記憶する記憶部と、液晶ディスプレイ等の情報出力部と、タッチパネル等の情報入力部と、各種データの送受信を行う通信部と、を備えている。
【００１３】
サーバ装置３は、後述する呼吸訓練データ８をユーザ端末２に送信する機能を有し、本実施形態の呼吸訓練システム１による呼吸訓練サービスを提供する事業者が通信ネットワーク４上に設置する装置である。
【００１４】
サーバ装置３は、図１に示すように、情報送受信手段５、制御手段６、記憶手段７を備えている。
【００１５】
情報送受信手段５は、ユーザ端末２と情報の送受信を行う。
【００１６】
記憶手段７は、データベースサーバ等の物理的なハードウェアで構成することができ、前記事業者によって作成された呼吸訓練データ８を記憶している。
【００１７】
呼吸訓練データ８は、以下の構成を備えている。
【００１８】
（ａ）音楽データ
本実施形態では、図２に示すように、音楽データは前奏パート１７ａと、歌詞、すなわち前記ユーザが息を吐く部分である複数の呼気パート１７ｂ、１７ｄ、・・・、と、休符の部分である複数の吸気パート１７ｃ、・・・、とで構成されている。
【００１９】
（ｂ）前記音楽データのｎ小節に含まれている音のリズムについてのシンボルデータであって、文字、図形、記号、色彩から一又は複数の組み合わせで構成され、呼気又は吸気を示すシンボルデータ
本実施形態では、図２に示すように、前記シンボルデータを、息を吐く各音の長さである音価１０を四角形状の図形と色彩（青色、緑色、赤色）とを組み合わせた呼気シンボルデータ９ａと、息を吸う部分である前記休符を単一の色彩（灰色）で表した吸気シンボルデータ９ｂとしている。なお図面上では、呼気シンボルデータ９ａの色彩（青色、緑色、赤色）を２種類の斜線パターンと１種類の格子状パターンとで表している。このように呼気シンボルデータ９ａを３種類の色彩に分けているのは、複数のユーザそれぞれに息を吐くパートを分担させるためである。例えば、ユーザＡは青色（左下斜線パターン）の呼気シンボルデータ９ａ、ユーザＢは緑色（右下斜線パターン）の呼気シンボルデータ９ａ、ユーザＣは赤色（格子状パターン）の呼気シンボルデータ９ａを見て息を吐くことになる。
【００２０】
（ｃ）シンボルデータと、音楽データを構成する小節数及び拍数と、前記音楽データを構成するリズムに対応したシンボルデータが表示されるシンボルデータ表示経路とを表す譜面データ
本実施形態では、図２に示すように、一辺（縦辺）を楽曲全体の長さとし、前記楽曲を構成する音の配置を他辺（横辺）に表した複数の長尺のシンボルデータ表示経路で譜面データ１５を構成している。各シンボルデータ表示経路の長手方向は１小節ごとに区切られ、各小節１２は４拍子を表すように四つの拍１３で構成されている。  
シンボルデータ表示経路に呼気シンボルデータ９ａと吸気シンボルデータ９ｂが表示される。本実施形態では、図２に示すように、鍵盤に表される各白鍵の位置に対応している帯状の白鍵レーン１４ａに呼気シンボルデータ９ａと吸気シンボルデータ９ｂが表示され、各黒鍵の位置に対応している線状の黒鍵ライン１４ｂに呼気シンボルデータ９ａと吸気シンボルデータ９ｂが表示される。なお、前記黒鍵の一に対応するシンボルデータ表示経路は、白鍵レーン１４ａと同様に帯状としてもよい。  
また、譜面データ１５の上辺は呼吸タイミング指示線１６となっている。前記音楽データがユーザ端末２で再生されると、ユーザ端末２の表示画面上で呼気シンボルデータ９ａと吸気シンボルデータ９ｂが呼吸タイミング指示線１６を通過するように譜面データ１５の移動が制御される。呼気シンボルデータ９ａ又は吸気シンボルデータ９ｂが呼吸タイミング指示線１６を通過するタイミングで、前記ユーザは呼気シンボルデータ９ａの音価１０の分息を吐き、吸気シンボルデータ９ｂが示す休符の長さの分息を吸うことになる。
【００２１】
（ｄ）鍵盤画像データ
譜面データ１５は、吹奏型の鍵盤楽器の鍵盤を模した鍵盤画像データを備えていてもよい。例えば、図２に示すように、各白鍵レーン１４ａ及び各黒鍵ライン１４ｂに対応する白鍵１１ａ及び黒鍵１１ｂが複数配置された鍵盤画像データ１１を呼吸タイミング指示線１６に重ね合わせて譜面データ１５を構成することができる。
【００２２】
制御手段６は、ＣＰＵや、メモリ等により構成され各種データの処理、演算を行う演算処理機能を有し、音楽データ再生制御部６ａと、画像データ表示制御部６ｂとを備える。
【００２３】
音楽データ再生制御部６ａは、ユーザ端末２による呼吸訓練データ８の選択指示を受け付けて、呼吸訓練データ８を構成する前記音楽データをユーザ端末２に再生させる処理を行う。あるいは、前記音楽データをユーザ端末２に送信する処理を行う。
【００２４】
画像データ表示制御部６ｂは、前記音楽データの再生に伴って、ユーザ端末２の表示画面上に表示されている呼吸タイミング指示線１６を前記シンボルデータが通過するように譜面データ１５の表示を制御する。
【００２５】
本実施形態では、図２に示すように、画像データ表示制御部６ｂは、呼吸タイミング指示線１６を前記表示画面上に固定させ、前記シンボルデータ表示経路である白鍵レーン１４ａと黒鍵ライン１４ｂそれぞれに表示されている呼気シンボルデータ９ａと吸気シンボルデータ９ｂを呼吸タイミング指示線１６に向かう方向１９へ移動させるように譜面データ１５の表示を制御する。あるいは、譜面データ１５の全てが前記表示画面上に収まる場合、画像データ表示制御部６ｂは、譜面データ１５を前記表示画面上に固定させ、呼吸タイミング指示線１６を前記シンボルデータ表示経路である白鍵レーン１４ａと黒鍵ライン１４ｂそれぞれに向かう方向１８へ移動させるように譜面データ１５の表示を制御してもよい。
【００２６】
また、譜面データ１５が鍵盤画像データ１１を備える場合、画像データ表示制御部６ｂは、前記音楽データの再生に伴って、ユーザ端末２の表示画面上で鍵盤画像データ１１を前記シンボルデータ表示経路に表示されている前記シンボルデータに対して移動させ、又は、前記シンボルデータ表示経路に表示されている前記シンボルデータを鍵盤画像データ１１に対して移動させて、前記表示画面上に表示されている呼吸タイミング指示線１６を前記シンボルデータが通過するように譜面データ１５の表示を制御する。
【００２７】
例えば、図２に示すように、画像データ表示制御部６ｂは、鍵盤画像データ１１及び呼吸タイミング指示線１６を前記表示画面上に固定させ、前記シンボルデータ表示経路である白鍵レーン１４ａと黒鍵ライン１４ｂそれぞれに表示されている呼気シンボルデータ９ａと吸気シンボルデータ９ｂを鍵盤画像データ１１及び呼吸タイミング指示線１６に向かう方向１９へ移動させるように譜面データ１５の表示を制御する。あるいは、譜面データ１５の全てが前記表示画面上に収まる場合、画像データ表示制御部６ｂは、譜面データ１５を前記表示画面上に固定させ、鍵盤画像データ１１及び呼吸タイミング指示線１６を前記シンボルデータ表示経路である白鍵レーン１４ａと黒鍵ライン１４ｂそれぞれに向かう方向１８へ移動させるように譜面データ１５の表示を制御してもよい。
【００２８】
画像データ表示制御部６ｂは、さらに、前記シンボルデータが呼吸タイミング指示線１６を通過する際に、前記呼気を示すシンボルデータに対応する前記鍵盤の鍵の位置を強調するように鍵盤画像データ１１の表示を制御してもよい。
【００２９】
例えば、図５、図７に示すように、呼気シンボルデータ９ａが呼吸タイミング指示線１６を通過する際に、呼気シンボルデータ９ａに対応する白鍵１１ａ又は黒鍵１１ｂの位置が発光するように鍵盤画像データ１１の表示を制御してもよい。
【００３０】
図３〜図７を参照して、前記ユーザが呼吸訓練データ８を使用して呼吸の訓練を行う一例を説明する。図３〜図７の形態では、譜面データ１５は鍵盤画像データ１１を備えており、３人のユーザＡ、ユーザＢ、ユーザＣがそれぞれ青色（左下斜線パターン）の呼気シンボルデータ９ａ、緑色（右下斜線パターン）の呼気シンボルデータ９ａ、赤色（格子状パターン）の呼気シンボルデータ９ａを見ながら、図示していない鍵盤ハーモニカを操作して呼吸の訓練を行う一例を説明する。
【００３１】
ユーザ端末２で前記音楽データが再生されると、画像データ表示制御部６ｂは、呼吸タイミング指示線１６を前記表示画面上に固定させ、前記シンボルデータ表示経路である白鍵レーン１４ａと黒鍵ライン１４ｂそれぞれに表示されている呼気シンボルデータ９ａと吸気シンボルデータ９ｂを呼吸タイミング指示線１６に向かう方向１９へ移動させるように譜面データ１５の表示を制御する。
【００３２】
図３に示すように、前記音楽データの再生に伴って、前記音楽データを構成する前奏パート１７ａが呼吸タイミング指示線１６に向かう方向１９へ移動する。
【００３３】
前奏パート１７ａに係る前奏がユーザ端末２で再生されている間、図４に示すように、前記音楽データを構成する呼気パート１７ｂが呼吸タイミング指示線１６に向かう方向１９へ移動する。呼気パート１７ｂにおける三種の呼気シンボルデータ９ａが白鍵レーン１４ａに表示される。
【００３４】
図５に示すように、三種の呼気シンボルデータ９ａが呼吸タイミング指示線１６を通過するタイミングで、ユーザＡ、ユーザＢ、ユーザＣはそれぞれ、鍵盤画像データ１１における「ド」、「ソ」、「ミ」の部分の白鍵１１ａに対応する前記鍵盤ハーモニカの鍵盤を操作（押鍵）しながら音価１０の分だけ息を吐く。呼気パート１７ｂに係る演奏がユーザ端末２で再生されている間、前記音楽データを構成する吸気パート１７ｃが呼吸タイミング指示線１６に向かう方向１９へ移動する。吸気パート１７ｃにおける灰色の吸気シンボルデータ９ｂが白鍵レーン１４ａに表示される。
【００３５】
図６に示すように、吸気シンボルデータ９ｂが呼吸タイミング指示線１６を通過するタイミングで、ユーザＡ、ユーザＢ、ユーザＣはそれぞれ、吸気シンボルデータ９ｂが示す休符の長さの分（４拍子分）息を吸う。吸気パート１７ｃに係る演奏がユーザ端末２で再生されている間、前記音楽データを構成する呼気パート１７ｄが呼吸タイミング指示線１６に向かう方向１９へ移動する。呼気パート１７ｄにおける三種の呼気シンボルデータ９ａが白鍵レーン１４ａ、黒鍵ライン１４ｂに表示される。
【００３６】
図７に示すように、三種の呼気シンボルデータ９ａが呼吸タイミング指示線１６を通過するタイミングで、ユーザＡ、ユーザＢ、ユーザＣはそれぞれ、鍵盤画像データ１１における「ド」、「ソ」、「ミ」の部分の白鍵１１ａに対応する前記鍵盤ハーモニカの鍵盤を操作（押鍵）しながら音価１０の分だけ息を吐く。
【００３７】
以降、前記音楽データの再生が終了するまでユーザＡ、ユーザＢ、ユーザＣは上記の流れで呼吸をすることになる。
【００３８】
なお、図面では省略しているが、前記音楽データの再生に合わせながら呼吸方法をガイドする呼吸方法ガイドメッセージを前記表示画面上に表示させてもよい。これにより前記ユーザは呼吸方法の確認をすることができる。
【００３９】
このように、本実施形態の呼吸訓練データ８を使用することで、シンボルデータが呼吸タイミング指示線１６を通過する瞬間が呼吸を行うタイミングであることを目で確認し、呼吸の長さをシンボルデータが示す音価や休符で確認することになるので、これまで呼吸の訓練を指導する指導者が指示し、あるいは秒数などの音でしか表現できなかった「吐く」、「吸う」という呼吸のサイクルを目で確認することができる呼吸訓練システム１となっている。そこで、本実施形態の呼吸訓練システム１は、「呼吸を見える化」したシステムであり、このシステムを利用すれば、誰もが呼吸の質を高める呼吸パターンを理解することができる。また、ユーザが好きな時間、場所で呼吸の訓練を行うことができるとともに、呼吸の訓練を行いながら吹奏型の鍵盤楽器の操作を容易に覚えることができる。
【００４０】
［呼吸訓練プログラム及び記録媒体の実施形態］
本実施形態の呼吸訓練プログラムは、ユーザ端末２がサーバ装置３からダウンロード可能なコンピュータプログラムである。この呼吸訓練プログラムは、以下の各手段としてユーザ端末２を機能させるコンピュータプログラムである。
【００４１】
（１）（ａ）音楽データと、（ｂ）文字、図形、記号、色彩から一又は複数の組み合わせで構成され呼気又は吸気を示すシンボルデータと、前記音楽データを構成する小節数及び拍数と、前記音楽データを構成するリズムに対応した前記シンボルデータが表示されるシンボルデータ表示経路とを表す譜面データと、を備える呼吸訓練データを取得するデータ取得手段
（２）前記音楽データを再生する音楽データ再生手段
（３）前記譜面データを表示する画像データ表示出力手段
（４）前記音楽データの再生に伴って、表示画面上に表示されている呼吸タイミング指示線を前記シンボルデータが通過するように前記譜面データの表示を制御する譜面データ表示制御手段
【００４２】
本実施形態の呼吸訓練プログラムがデータ取得手段としてユーザ端末２を機能させることで、ユーザ端末２は呼吸訓練データ８をサーバ装置３から取得する。
【００４３】
本実施形態の呼吸訓練プログラムが音楽データ再生手段としてユーザ端末２を機能させることで上述した呼吸訓練データ８が備える前記音楽データが再生される。
【００４４】
本実施形態の呼吸訓練プログラムが画像データ表示出力手段としてユーザ端末２を機能させることで、前記音楽データの再生に伴って譜面データ１５が表示される。
【００４５】
本実施形態の呼吸訓練プログラムが譜面データ表示制御手段としてユーザ端末２を機能させることで、呼吸タイミング指示線１６が前記表示画面上に固定され、前記シンボルデータ表示経路である白鍵レーン１４ａと黒鍵ライン１４ｂそれぞれに表示されている呼気シンボルデータ９ａと吸気シンボルデータ９ｂが呼吸タイミング指示線１６に向かう方向１９へ移動するように譜面データ１５の表示が制御される。
【００４６】
譜面データ１５は、上述した吹奏型の鍵盤楽器の鍵盤を模した鍵盤画像データ１１を備えていてもよい。この場合、本実施形態の呼吸訓練プログラムが譜面データ表示制御手段としてユーザ端末２を機能させることで、前記音楽データの再生に伴って鍵盤画像データ１１及び呼吸タイミング指示線１６を前記表示画面上に固定させ、前記シンボルデータ表示経路である白鍵レーン１４ａと黒鍵ライン１４ｂそれぞれに表示されている呼気シンボルデータ９ａと吸気シンボルデータ９ｂが鍵盤画像データ１１及び呼吸タイミング指示線１６に向かう方向１９へ移動するように譜面データ１５の表示が制御される。
【００４７】
また、本実施形態の呼吸訓練プログラムを記録媒体に格納してもよい。例えば、ハードディスク、光ディスク、ＣＤ−ＲＯＭ、ＤＶＤ−ＲＯＭ、不揮発性のメモリカード等を用いることができる。この記録媒体をコンピュータに読み取らせることで、本実施形態の呼吸訓練プログラムを実行することができ、上記各機能が実現される。
【産業上の利用可能性】
【００４８】
本実施形態の呼吸訓練システム１は、健康に関する各種セミナー、トレーニングや、介護施設でのレクリエーション、動画配信による教育プログラム、等に利用される。
【符号の説明】
【００４９】
１  呼吸訓練システム
２  ユーザ端末
３  サーバ装置
４  通信ネットワーク
５  情報送受信手段
６  制御手段
６ａ  音楽データ再生制御部
６ｂ  画像データ表示制御部
７  記憶手段
８  呼吸訓練データ
９ａ  呼気シンボルデータ
９ｂ  吸気シンボルデータ
１０  音価
１１  鍵盤画像データ
１１ａ  白鍵
１１ｂ  黒鍵
１２  小節
１３  拍
１４ａ  シンボルデータ表示経路（白鍵レーン）
１４ｂ  シンボルデータ表示経路（黒鍵ライン）
１５  譜面データ
１６  呼吸タイミング指示線
１７ａ  前奏パート
１７ｂ、１７ｄ  呼気パート
１７ｃ  吸気パート
【図１】
0006828909.tif 000002
【図２】
0006828909.tif 000003
【図３】
0006828909.tif 000004
【図４】
0006828909.tif 000005
【図５】
0006828909.tif 000006
【図６】
0006828909.tif 000007
【図７】
0006828909.tif 000008